(57)【要約】【課題】  電子時計の装飾性を損なうことなく、時刻情報以外の情報を副針により表示する。【解決手段】  電子時計１Ａにおいて、文字板１１の外周には、時を示すインデックス２０２が配列されている。秒針２１、分針２２および時針２３は、インデックス２０２や目盛２０１を指示することにより時刻を表示する。文字板１１には、副針２４により情報を表示する副針表示領域２４０Ａが設けられている。副針表示領域２４０Ａに最も近いインデックス２０２は、他のインデックス２０２と等しい長さを有する。電子時計１Ａでは、副針２４を兼用して複数種類の情報を表示することで、副針表示領域２４０Ａを少なくしている。【選択図】図１
2019158343.tif 000002
【特許請求の範囲】
【請求項１】
文字板の外周に配列された複数のインデックスと、
前記インデックスを指示することにより時刻を表示する時刻針と、
前記文字板の副針表示領域に設けられた副針とを具備し、
前記複数のインデックスのうち前記副針表示領域に最も近いインデックスの長さが、前記複数のインデックスのうちの他のインデックスの長さと等しく、
前記副針は、複数種類の情報を表示することを特徴とする電子時計。
【請求項２】
前記文字板にカレンダー表示領域を有し、
前記複数のインデックスは、前記文字板の外周に等間隔に配置されている、
ことを特徴とする請求項１に記載の電子時計。
【請求項３】
文字板の外周に等間隔に配列された複数のインデックスと、
前記インデックスを指示することにより時刻を表示する時刻針と、
前記文字板の副針表示領域に設けられた副針と、
前記文字板に設けられたカレンダー表示領域と、を具備し、
前記複数のインデックスは、第１インデックスと、第２インデックスと、を具備し、
前記第１インデックスは、前記複数のインデックスのうち前記副針表示領域に最も近い位置に配置され、
前記第２インデックスは、前記複数のインデックスのうち前記カレンダー表示領域に最も近い位置に配置され、
前記第１インデックスの長さは、前記複数のインデックスのうち、前記第２インデックスを除いたインデックスの長さと等しく、
前記副針は、複数種類の情報を表示することを特徴とする電子時計。
【請求項４】
前記副針により電池残量、照度、電波の受信レベル、夏時間表示設定または曜日のいずれかを表示することを特徴とする請求項１〜３のいずれか１項に記載の電子時計。
【請求項５】
操作部の操作に応じて前記副針により表示する情報を切り換えることを特徴とする請求項１〜４のいずれか１項に記載の電子時計。
【請求項６】
前記時刻針は、秒針を有し、
前記秒針は、前記副針が表示している情報の種類を表示することを特徴とする請求項１〜５のいずれか１項に記載の電子時計。
【請求項７】
前記副針は回転範囲が１８０°未満のレトログラード針であることを特徴とする請求項１〜６のいずれか１項に記載の電子時計。
【請求項８】
前記文字板における１２時位置にロゴがあり、前記文字板におけるロゴの位置と別の位置に前記副針があることを特徴とする請求項１〜７のいずれか１項に記載の電子時計。
【請求項９】
前記文字板の法線方向に沿った平面視において、前記副針と重ならない位置にアンテナを有することを特徴とする請求項１〜８のいずれか１項に記載の電子時計。
【請求項１０】
前記副針表示領域には、複数種類の目盛が表記され、
前記副針は、前記目盛を指示することを特徴とする請求項１〜９のいずれか１項に記載の電子時計。
【請求項１１】
文字板の外周に配列された複数のインデックスと、
秒針を含み、前記インデックスを指示することにより時刻を表示する時刻針と、
前記文字板の副針表示領域に設けられた副針とを具備し、
前記副針表示領域において、前記副針が所定の情報を表示している場合、前記副針により表示している情報の種類を前記秒針により表示することを特徴とする電子時計。
【発明の詳細な説明】
【技術分野】
【０００１】
この発明は、副針表示領域を利用して情報を表示する電子時計に関する。
【背景技術】
【０００２】
近年の電子時計では、ＧＰＳ（Global Positioning System）受信機能等の各種の機能が設けられるようになってきている。そのため、時刻以外の各種の情報を表示することが必要になり、時刻針の他に、副針が文字板に設けられるようになってきている。
【０００３】
例えば、特許文献１に開示されているように、一部のインデックスを短くすることにより、副針により情報表示を行う副針表示領域を文字板上に確保しているものがある。また、一部のインデックスを設けずに副針表示領域を文字板上に確保した電子時計もある。
【先行技術文献】
【特許文献】
【０００４】
【特許文献１】特開２０１７−１７３０４７号公報
【発明の概要】
【発明が解決しようとする課題】
【０００５】
しかしながら、従来の電子時計は、副針表示領域を確保するために他より短いインデックスを用いるなど、時計の高級感を低下させるといった問題があった。
【課題を解決するための手段】
【０００６】
この発明の一態様による電子時計は、文字板の外周に配列された複数のインデックスと、前記インデックスを指示することにより時刻を表示する時刻針と、前記文字板の副針表示領域に設けられた副針とを具備し、前記複数のインデックスのうち前記副針表示領域に最も近いインデックスの長さが、前記複数のインデックスのうちの他のインデックスの長さと等しく、前記副針は、複数種類の情報を表示することを特徴とする。
【０００７】
この態様によれば、副針表示領域に最も近いインデックスが他のインデックスと等しい長さを有しているので、電子時計の高級感を保つことができる。また、副針を兼用して複数種類の情報を表示するので、副針により十分な情報を表示することができる。
【０００８】
好ましい態様において、電子時計は、前記文字板にカレンダー表示領域を有し、複数のインデックスは、前記文字板の外周に等間隔に配置されている。
【０００９】
この態様においても、時計の高級感を保つことができる。
【００１０】
また、この発明の一態様による電子時計は、文字板の外周に等間隔に配列された複数のインデックスと、前記インデックスを指示することにより時刻を表示する時刻針と、前記文字板の副針表示領域に設けられた副針と、前記文字板に設けられたカレンダー表示領域と、を具備し、前記複数のインデックスは、第１インデックスと、第２インデックスと、を具備し、前記第１インデックスは、前記複数のインデックスのうち前記副針表示領域に最も近い位置に配置され、前記第２インデックスは、前記複数のインデックスのうち前記カレンダー表示領域に最も近い位置に配置され、前記第１インデックスの長さは、前記複数のインデックスのうち、前記第２インデックスを除いたインデックスの長さと等しく、前記副針は、複数種類の情報を表示することを特徴とする。
【００１１】
この態様によれば、第２インデックスを除いたインデックスの長さが互いに等しいので、電子時計の高級感を保つことができる。また、副針を兼用して複数種類の情報を表示するので、副針により十分な情報を表示することができる。なお、長さが等しいとは、略等しいことを含み、例えば、インデックスの製造上のばらつきの範囲を含むものとする。
【００１２】
好ましい態様では、前記副針により電池残量、照度、電波の受信レベル、夏時間表示設定または曜日のいずれかを表示する。
【００１３】
この態様においても、時計の高級感を保つことができる。
【００１４】
好ましい態様では、操作部の操作に応じて前記副針により表示する情報を切り換える。
【００１５】
この態様によれば、狭い副針表示領域により各種の情報を表示することができる。
【００１６】
好ましい態様では、前記時刻針は、秒針を有し、前記秒針は、前記副針が表示している情報の種類を表示する。
【００１７】
この態様によれば、副針により表示している情報の種類をユーザーに知らせることができる。
【００１８】
好ましい態様では、前記副針が回転範囲が１８０°未満のレトログラード針であることを特徴とする。
【００１９】
この態様によれば、狭い副針表示領域により、情報を正確に視認させることができる。
【００２０】
好ましい態様では、前記文字板における１２時位置にロゴがあり、前記文字板におけるロゴの位置と別の位置に前記副針がある。
【００２１】
この態様によれば、電子時計の高級感を保つことができる。
【００２２】
好ましい態様では、前記文字板の法線方向に沿った平面視において、前記副針と重ならない位置にアンテナを有する。
【００２３】
この態様によれば、副針の駆動機構およびアンテナを含むムーブメントを薄型にすることができる。
【００２４】
好ましい態様において、前記副針表示領域には、複数種類の目盛が表記され、前記副針は、前記目盛を指示する。
【００２５】
この態様によれば、狭い副針表示領域により複数種類の情報を表示することができる。
【図面の簡単な説明】
【００２６】
【図１】この発明の第１実施形態である電子時計の構成を示す平面図である。
【図２】同電子時計の副針表示領域の構成を示す平面図である。
【図３】同電子時計の断面図である。
【図４】同電子時計の電気回路の構成を示すブロック図である。
【図５】同電子時計の太陽電池の解放電圧と照度の関係を示す図である。
【図６】同電子時計の電池電圧検出処理を示すフローチャートである。
【図７】同電子時計の作用効果を示す図である。
【図８】同電子時計の照度検知処理を示すフローチャートである。
【図９】同実施形態の変形例を示す平面図である。
【図１０】この発明の第２実施形態である電子時計の構成を示す平面図である。
【図１１】同電子時計の副針表示領域の構成を示す平面図である。
【図１２】同電子時計の断面図である。
【図１３】同電子時計の電気回路の構成を示すブロック図である。
【図１４】同電子時計の標準電波受信処理を示すフローチャートである。
【図１５】同電子時計の夏時間表示制御処理を示すフローチャートである。
【図１６】この発明の第３実施形態である電子時計の構成を示す平面図である。
【図１７】同電子時計の副針表示領域の構成を示す平面図である。
【図１８】同電子時計の断面図である。
【図１９】同電子時計の電気回路の構成を示すブロック図である。
【図２０】同電子時計の表示モード切替処理を示すフローチャートである。
【図２１】この発明の第４実施形態である電子時計の構成を示す平面図である。
【図２２】同電子時計の副針表示領域の構成を示す平面図である。
【図２３】この発明の第５実施形態である電子時計の構成を示す平面図である。
【図２４】同電子時計の副針表示領域の構成を示す平面図である。
【発明を実施するための形態】
【００２７】
以下、図面を参照し、この発明の実施形態を説明する。
【００２８】
＜第１実施形態＞
［電子時計の概略構成］
図１は、この発明の第１実施形態である電子時計１Ａの構成を示す平面図である。図２は、同電子時計１Ａの副針表示領域２４０Ａの構成を示す平面図である。図３は、同電子時計１Ａの断面図である。なお、以下の説明において、上または表面はカバーガラス３３側を意味し、下または裏面は裏蓋３４側を意味する。
【００２９】
電子時計１Ａは、図１および図３に示すように、外装ケース３０と、カバーガラス３３と、裏蓋３４とを備えている。外装ケース３０は、円筒状であり、金属で形成されている。外装ケース３０の側面には、リューズ４３が設けられている。図３に示すように、外装ケース３０の二つの開口のうち、表面側の開口は、カバーガラス３３で塞がれており、裏面側の開口は金属で形成された裏蓋３４で塞がれている。
【００３０】
外装ケース３０の上面内周には、円環状に凹んだ円環部３５が形成されており、この円環部３５にカバーガラス３３の外周部が固定されている。また、外装ケース３０の円環部３５よりもさらに内側には、文字板１１と、秒針２１、分針２２、時針２３および副針２４と、カレンダー車２５と、秒針２１、分針２２、時針２３、副針２４およびカレンダー車２５を駆動する駆動機構１４０などが備えられている。なお、以下では、秒針２１、分針２２、時針２３および副針２４を指針と総称する場合がある。
【００３１】
文字板１１は、外装ケース３０の内側で時刻を表示する円形の板材であり、カバーガラス３３との間に指針２１〜２４を備えている。文字板１１と、地板１２５との間には、太陽電池１３１が備えられている。太陽電池１３１は、光エネルギーを電気エネルギーに変換する光発電を行う光発電素子である。太陽電池１３１は、カバーガラス３３および文字板１１を透過した光を受光して発電することができる。
【００３２】
文字板１１、太陽電池１３１、地板１２５には、指針２１〜２３の指針軸２９と、副針２４の指針軸２６とが貫通する穴が形成されている。また、文字板１１および太陽電池１３１には、カレンダー小窓１５の開口部が形成されている。
【００３３】
駆動機構１４０は、地板１２５に取り付けられ、回路基板１２０で裏蓋側から覆われている。駆動機構１４０は、ステップモーターと歯車などの輪列とを有し、当該ステップモーターが当該輪列を介して各指針２１〜２４およびカレンダー車２５を駆動する。
【００３４】
駆動機構１４０は、具体的には、第１〜第４駆動機構を備える。第１駆動機構は指針２２および指針２３を駆動し、第２駆動機構は指針２１を駆動し、第３駆動機構は副針２４を駆動し、第４駆動機構はカレンダー車２５を駆動する。
【００３５】
回路基板１２０は、表面側に制御装置１５０Ａを備えている。回路基板１２０の裏蓋側には、回路基板１２０を裏蓋３４側から押さえる回路押さえ１２２が設けられている。また、二次電池１３２が、地板１２５と裏蓋３４との間に設けられている。二次電池１３２は、電子時計１Ａの電源であり、太陽電池１３１が発電した電力によって充電される。二次電池１３２としては、リチウムイオン電池などを例示できる。
【００３６】
［電子時計の表示機構］
指針２１〜２３は、文字板１１の平面中心に、文字板１１の表裏方向に沿って設けられた指針軸２９に取り付けられている。なお、指針軸２９は、各指針２１〜２３が取り付けられる３つの指針軸で構成されている。
【００３７】
文字板１１の外周部には、図１に示すように、外周部を６０分割にする目盛２０１が表記されている。この目盛２０１を用いて、秒針２１は時刻の「秒」を表示し、分針２２は時刻の「分」を表示し、時針２３は時刻の「時」を表示する。このように指針２１〜２３は、時刻を表示する時刻針を構成する。また、文字板１１の外周部には、図１に示すように、外周部を１２分割にする１２本の棒状のインデックス２０２である時字が表記されている。これらの１２本のインデックス２０２のうち３時位置のインデックスを除く１１本のインデックス２０２は、文字板１１の半径方向の長さが等しく、各インデックス２０２の内側端部は、文字板１１の平面中心を中心とする同じ円周上にある。すなわち、図３に示すように、３時位置のインデックスを除き、どのインデックス２０２も、文字板１１の平面中心である指針軸２９の中心から当該インデックス２０２の内側端部までの距離ＬＡが同じである。
【００３８】
また、電子時計１Ａでは、文字板１１の平面中心から１２時を示すインデックス２０２寄りの位置にロゴ表示領域２０４がある。このように１２時位置にロゴ表示領域２０４を設けることで電子時計としての高級感（装飾性）を高めている。
【００３９】
副針２４は、文字板１１の平面中心から８時方向の位置に設けられている指針軸２６に取り付けられている。図２には副針２４が指針軸２６廻りに回転することにより情報の表示を行う副針表示領域２４０Ａの詳細が示されている。以下、副針２４の回転領域の外周の表記について説明するが、「ｎ時方向」（ｎは任意の自然数）とあるのは、副針２４の指針軸２６から副針２４の回転領域の外周を見たときの方向である。なお、本実施形態では、電子時計の高級感を保つため、副針表示領域２４０Ａは１つだけである。
【００４０】
文字板１１において、副針表示領域２４０Ａを設けるために、一部のインデックス２０２をなくし、あるいは他より短くしたのでは、電子時計１Ａの装飾性が損なわれる。このような不都合を回避するためには、副針表示領域２４０Ａの面積を小さくする必要がある。しかし、副針表示領域２４０Ａの面積を小さくすると、副針２４の視認性が損なわれ、副針２４が表示している情報をユーザーに知らせるのが困難になる。そして、副針表示領域２４０Ａを円形に保ったままこの問題を解決することは困難である。そこで、本実施形態では、副針２４をレトログラード針とし、副針表示領域２４０Ａを扇形にした。レトログラード針は、回転の範囲が円ではなく扇形となる。レトログラード針を秒針やカレンダー針に使用する場合、レトログラード針が目盛の端に達した瞬間に基点にフライバックさせることが一般的である。本実施形態におけるレトログラード針は、必ずしもフライバックさせるものではない。
また、本実施形態では、副針表示領域２４０Ａを扇形にするに当たり、その中心角を検討した。この中心角が小さすぎると、副針表示領域２４０Ａの面積を減らすことはできるが、副針２４の視認性を過度に損なうことになり、逆に、中心角が大きすぎると、副針２４の視認性を損なうことはないが、副針表示領域２４０Ａの面積を減らすことができないからである。本願発明者が検討したところ、副針表示領域２４０Ａの扇形の中心角は、３０°以上であり、かつ、１８０°未満であることが好ましいという結論になった。本実施形態の副針表示領域２４０Ａにおいて、副針２４の回転範囲は、９時方向から１２時方向までの範囲である。すなわち、本実施形態において副針表示領域２４０Ａの扇形の中心角は、９０°となっている。
【００４１】
副針表示領域２４０Ａの９時方向から１２時方向までの範囲の外周には、当該外周の円弧に沿った形状であり、１２時方向の基端７１１が太く、９時方向の先端７１２が細い三日月鎌状の記号であるインジケーター７１が表記されている。そして、インジケーター７１において、基端７１１の位置にはＨｉｇｈを意味するマークＨが表記され、先端７１２の位置にはＬｏｗを意味するマークＬが表記されている。また、インジケーター７１において、基端７１１と先端７１２の中間の位置には、Ｍｉｄｄｌｅを意味するマークＭが表記されている。
【００４２】
本実施形態において、副針２４およびインジケーター７１は、電池残量の表示および照度の表示に使用される。電池残量の表示を例に説明すると、副針２４は、電池残量を予め設定された３段階で表示する。副針２４は、マークＨが表記された基端７１１を指示することで、電池残量が３段階のうち最大の段階であることを表示し、マークＬが表記された先端７１２を指示することで、電池残量が３段階のうち最小の段階であることを表示し、マークＭが表記された位置を指示することで、電池残量が３段階のうち中間の段階であることを表示する。照度の表示も、電池残量の表示と同様、副針２４およびインジケーター７１により行われる。
【００４３】
このように副針２４およびインジケーター７１からなる表示手段が、電池残量と照度の両方の表示に用いられる場合、副針２４およびインジケーター７１により現在表示されている情報をユーザーに知らせる手段が必要になる。そこで、本実施形態では、図１に示すように、文字板１１の外周の３秒位置に太陽マークである照度検出指標２０３が表記されている。そして、本実施形態では、副針２４およびインジケーター７１からなる表示手段が照度を表示する場合には、秒針２１が照度検出指標２０３を指示するようにしている。このようにすることで、ユーザーは、現在、副針２４およびインジケーター７１からなる表示手段により表示されているのが電池残量であるか照度であるかを知ることができる。
【００４４】
カレンダー小窓１５は、図１に示すように、文字板１１の平面中心から３時方向に位置し、文字板１１を矩形状に開口した開口部に設けられており、開口部からカレンダー車２５に印刷された数字が視認可能となっている。カレンダー車２５は、開口部から数字を視認させることで、年月日の「日」を表示する。
【００４５】
文字板１１の外周に等間隔に配列された１２個のインデックス２０２のうち副針表示領域２４０Ａに最も近い位置にあるのは、８時位置のインデックス２０２である。この８時位置のインデックス２０２が第１インデックスである。また、文字板１１の外周に等間隔に配列された１２個のインデックス２０２のうちカレンダー表示領域であるカレンダー小窓１５に最も近い位置にあるのは、３時位置のインデックス２０２である。この３時位置のインデックス２０２が第２インデックスである。本実施形態において、指針軸２９に向かう方向に沿った第１インデックスの長さは、第２インデックスの長さより長い。また、本実施形態において、文字板１１の外周に等間隔に配列された１２個のインデックス２０２のうち第２インデックスを除いたインデックスの長さは互いに等しい。
【００４６】
［電子時計の操作方法］
電子時計１Ａは、リューズ４３が０段の位置にある場合は、通常表示を行う。すなわち、電子時計１Ａは、秒針２１、分針２２および時針２３により現時刻表示を行い、副針２４により電池残量を表示する。また、リューズ４３が０段の位置にある場合は、リューズ４３が回転しても電子時計１Ａは通常表示を維持する。
【００４７】
リューズ４３が１段引きされると、電子時計１Ａは、分針２２および時針２３による現時刻表示を行い、秒針２１を３秒位置に止め、照度検出指標２０３を指示する。そして、電子時計１Ａは、副針２４により照度表示を行う。また、リューズ４３が１段引きされた状態で回転されると、電子時計１Ａはカレンダーの変更を行う。具体的には、リューズ４３が上回転すると、電子時計１Ａはカレンダーを１日進め、下回転すると、１日遅らせる。
【００４８】
リューズ４３が２段引きされると、電子時計１Ａは、分針２２および時針２３による現時刻表示を行い、秒針２１を０秒位置に止める。そして、電子時計１Ａは、副針２４により電池残量表示を行う。また、リューズ４３が２段引きされた状態で回転されると、電子時計１Ａは現在時刻の時分の変更を行う。具体的には、リューズ４３が上回転すると、電子時計１Ａは現在時刻を１分進め、下回転すると、１分遅らせる。
【００４９】
［電子時計の回路構成］
電子時計１Ａの制御装置１５０Ａは、図４に示すように、ＣＰＵ（中央処理装置：Central Processing Unit）で構成される制御回路１５１Ａと、ダイオード１５２と、充電制御用スイッチ１５３と、照度検出回路１５４と、電池電圧検出回路１５５と、駆動回路１５６と、ＥＥＰＲＯＭ（Electrically Erasable Programmable Read-Only Memory）やＲＡＭ（Random Access Memory）などで構成された記憶装置１５７とを備えている。充電制御用スイッチ１５３、照度検出回路１５４、電池電圧検出回路１５５、駆動回路１５６および記憶装置１５７は、制御回路１５１Ａに接続されている。
【００５０】
［ダイオード］
ダイオード１５２は、太陽電池１３１と二次電池１３２とを電気的に接続する経路に設けられ、太陽電池１３１から二次電池１３２への電流である順方向電流を遮断せずに、二次電池１３２から太陽電池１３１への電流である逆方向電流を遮断する。なお、順方向電流が流れるのは、二次電池１３２の電圧よりも太陽電池１３１の電圧が高い場合、すなわち充電時に限られる。ダイオード１５２は、太陽電池１３１の電圧が二次電池１３２よりも低くなった場合は、二次電池１３２から太陽電池１３１に電流が流れることを防止する。すなわち、ダイオード１５２は、逆流防止用ダイオードである。また、ダイオード１５２に代えて電界効果トランジスター（ＦＥＴ：Field effect transistor）を採用してもよい。
【００５１】
［充電制御用スイッチ］
充電制御用スイッチ１５３は、太陽電池１３１から二次電池１３２への電流の経路を接続および切断するものであり、太陽電池１３１と二次電池１３２とを電気的に接続する経路に設けられたスイッチング素子を備えている。スイッチング素子がオフ状態からオン状態に遷移すると接続し、スイッチング素子がオン状態からオフ状態へ遷移すると切断する。
【００５２】
［照度検出回路］
照度検出回路１５４は、制御回路１５１Ａから出力される電圧の検出タイミングを指定する制御信号に基づいて作動し、太陽電池１３１の端子電圧ＰＶＩＮを検出する。ここで、照度検出回路１５４が端子電圧ＰＶＩＮを検出している期間、制御回路１５１Ａから出力される制御信号に基づいて、充電制御用スイッチ１５３はオフ状態とされている。このため、照度検出回路１５４は、太陽電池１３１の開放電圧を検出する。太陽電池１３１の開放電圧は、太陽電池１３１に照射される光の照度が高いほど高くなり、当該照度と相関関係がある。このため、照度検出回路１５４は、太陽電池１３１の開放電圧を予め設定された電圧閾値と比較することで、太陽電池１３１に照射される光の照度を検出できる。照度検出回路１５４は、比較結果を制御回路１５１Ａに出力する。
【００５３】
［電池電圧検出回路］
電池電圧検出回路１５５は、制御回路１５１Ａから出力される電池電圧の検出タイミングを指定する制御信号に基づいて作動し、二次電池１３２の電池電圧を検出し、検出値を制御回路１５１Ａに出力する。ここで、二次電池１３２の電池電圧は、二次電池１３２の電池残量と相関関係がある。このため、電池電圧検出回路１５５は、二次電池１３２の電池電圧を検出することで、二次電池１３２の電池残量を検出できる。すなわち、電池電圧検出回路１５５は、電池残量検出回路に相当する。電池電圧の検出結果は、制御回路１５１Ａによって記憶装置１５７に記憶される。
【００５４】
［駆動回路］
駆動回路１５６は、制御回路１５１Ａから出力される制御信号に基づいて動作し、駆動機構１４０が備えるステップモーターの端子にパルスを出力して駆動機構１４０を駆動し、各指針２１〜２４およびカレンダー車２５を回転させる。
【００５５】
［制御回路］
次に、制御回路１５１Ａの動作について説明する。制御回路１５１Ａは、以下に示す照度検出処理および電池電圧検出処理などを実行する。
【００５６】
［照度検出処理］
制御回路１５１Ａが実行する照度検出処理について説明する。制御回路１５１Ａは、一定周期で照度検出処理を実行する。本実施形態では、制御回路１５１Ａは、１秒間隔で照度検出処理を実行している。
【００５７】
この照度検出処理において、制御回路１５１Ａは、まず、照度検出情報を表示させるための条件である照度閾値を設定する。照度閾値は、太陽電池１３１に照射される光の照度に対して図５に示す関係にある検出レベルを用いて設定する。ここで、図５における照度は、各検出レベルにおける下限値を表したものである。例えば、検出レベルが「４」とは、照度が３０００ルクス以上であることを意図する。
【００５８】
例えば、照度が３０００ルクスの場合、フル充電には１１０時間かかり、電子時計１Ａを１日駆動させる分の電力を充電するには、３３分かかる。３０００ルクスの光は、屋外だけではなく、屋内における窓際などでも観測でき、また、電子時計１Ａを１日駆動させる分の電力を３０分程度で充電できるため、太陽電池１３１に照射される光の照度が３０００ルクス以上であれば、電子時計１Ａが充電に適した環境にあると判断できる。
【００５９】
このため、本実施形態では、太陽電池１３１に照射される光の照度が３０００ルクス以上の場合に照度検出情報が表示されるように、照度閾値を３０００ルクスに対応した検出レベル「４」に設定している。
【００６０】
次に、制御回路１５１Ａは、照度検出回路１５４を作動させる。すなわち、本実施形態では、制御回路１５１Ａは、１秒間隔の制御信号を出力し、照度検出回路１５４を作動させている。この際、充電制御用スイッチ１５３は、制御回路１５１Ａによってオフ状態に切り替えられる。すなわち、照度検出回路１５４が作動している際、充電制御用スイッチ１５３はオフ状態に制御されるので、太陽電池１３１および照度検出回路１５４は、二次電池１３２とは切り離される。このため、照度検出回路１５４は、二次電池１３２の充電電圧の影響を受けることなく、太陽電池１３１に照射される光の照度に対応する開放電圧を検出できる。また、電池電圧検出回路１５５による電池残量を検出する時間間隔は、６秒間隔で、照度を検出する時間間隔１秒よりも長い。
【００６１】
また、制御回路１５１Ａは、照度検出回路１５４の電圧閾値を、照度閾値として設定した検出レベルに対応した値に設定する。太陽電池１３１に照射される光の照度と開放電圧とは、図５に示すように相関関係がある。制御回路１５１Ａは、照度閾値として設定した検出レベルに対応した開放電圧の値を図５に基づき判定し、判定した値を電圧閾値に設定する。
【００６２】
ここで、図５は、各検出レベルにおける太陽電池開放電圧を表したものである。例えば、検出レベルが「４」とは、開放電圧２．４０Ｖ以上であることを意図する。なお、検出レベルと開放電圧と照度との関係は、図５に示す関係に限定されず、適宜設定することができる。また、検出レベルは、「０」〜「１０」の１１段階に分けられているが、より多い段階に分けたり、反対に、より少ない段階に分けたりしてもよい。
【００６３】
そして、照度検出回路１５４は、太陽電池１３１の開放電圧を電圧閾値と比較し、太陽電池１３１の開放電圧が電圧閾値以上の場合、例えばハイレベル（Ｈレベル）信号を照度検出結果として制御回路１５１Ａに出力する。
【００６４】
このような構成によれば、太陽電池１３１に照射される光の照度が照度閾値として設定された検出レベル以上の場合に、照度検出回路１５４から制御回路１５１Ａに例えばハイレベル信号が出力される。
【００６５】
そして、制御回路１５１Ａは、照度検出回路１５４から出力される照度検出結果に基づき、太陽電池１３１に照射される光の照度が照度閾値として設定した検出レベル（「４」）以上か否かを判定する。
【００６６】
ここで、太陽電池１３１に照射される光の照度が照度閾値として設定した検出レベル以上である場合、制御回路１５１Ａは、記憶装置１５７内の照度検出結果フラグをオンにする。そして、制御回路１５１Ａは、駆動回路１５６を制御して、図１に示す照度検出指標２０３を副針２４に指示させ、太陽電池１３１に照射された光の照度が照度閾値以上であることを示す照度検出情報を表示させる。そして、制御回路１５１Ａは、照度検出処理を終了する。
【００６７】
これに対し、太陽電池１３１に照射される光の照度が照度閾値として設定した検出レベル未満である場合、制御回路１５１Ａは、記憶装置１５７内の照度検出結果フラグをオフにして、駆動回路１５６を制御して、副針２４にインジケーター７１における電池残量に応じた位置を指示させて、所定の情報として電池残量を表示させる。そして、制御回路１５１Ａは、照度検出処理を終了する。
【００６８】
以上の処理により、太陽電池１３１に照射された光の照度が照度閾値（検出レベル「４」：３０００ルクス）以上であると判定されてから、当該照度が照度閾値未満であると判定されるまでの期間、副針２４によって照度検出情報が表示される。また、それ以外の期間は、副針２４によって電池残量が表示される。
【００６９】
［電池電圧検出処理］
次に、制御回路１５１Ａが実行する電池電圧検出処理について、図６のフローチャートに基づき説明する。制御回路１５１Ａは、一定周期で電池電圧検出処理を実行する。本実施形態では、制御回路１５１Ａは、６秒間隔で電池電圧検出処理を実行している。
【００７０】
制御回路１５１Ａは、電池電圧検出処理を実行すると、電池電圧検出回路１５５を作動させる。電池電圧検出回路１５５は、作動すると二次電池１３２の電池電圧を検出し（Ｓ１０１）、検出値を制御回路１５１Ａに出力する。
【００７１】
次に、制御回路１５１Ａは、電池電圧検出回路１５５が検出した検出値が、１．４Ｖ以上か否かを判定する（Ｓ１０２）。Ｓ１０２でＹＥＳと判定された場合、制御回路１５１Ａは、副針２４によりレベル「２」に対応したＨマークを指示し、秒針２１の運針間隔を１秒に設定する（Ｓ１１１）。すなわち、秒針２１を１秒に１回、１秒分だけ回転させる。そして、制御回路１５１Ａは、電池電圧の検出結果を記憶装置１５７に記憶させ（Ｓ１１５）、電池電圧検出処理を終了する。
【００７２】
Ｓ２２でＮＯと判定された場合、制御回路１５１Ａは、電池電圧検出回路１５５が検出した検出値が、１．２Ｖ以上１．４Ｖ未満か否かを判定する（Ｓ１０３）。Ｓ１０３でＹＥＳと判定された場合、制御回路１５１Ａは、副針２４によりレベル「１」に対応したＭマークを指示し、秒針２１の運針間隔を１秒に設定する（Ｓ１１２）。そして、制御回路１５１Ａは、Ｓ２４で電池電圧の検出結果を記憶装置１５７に記憶させ（Ｓ１１５）、電池電圧検出処理を終了する。
【００７３】
Ｓ１０３でＮＯと判定された場合、制御回路１５１Ａは、電池電圧検出回路１５５が検出した検出値が、１．１Ｖ以上１．２Ｖ未満か否かを判定する（Ｓ１０４）。Ｓ１０４でＹＥＳと判定された場合、制御回路１５１Ａは、副針２４によりレベル「０」に対応したＬマークを指示し、秒針２１の運針間隔を２秒に設定する（Ｓ１１３）。すなわち、秒針２１を２秒に１回、２秒分だけ回転させる。そして、制御回路１５１Ａは、Ｓ１１５で電池電圧の検出結果を記憶装置１５７に記憶させ、電池電圧検出処理を終了する。
【００７４】
Ｓ１０４でＮＯと判定された場合、制御回路１５１Ａは、電池電圧検出回路１５５が検出した検出値が、１．１Ｖ未満か否かを判定する（Ｓ１０５）。Ｓ１０５でＮＯと判定された場合、制御回路１５１Ａはそのまま電池電圧検出処理を終了する。
【００７５】
一方、Ｓ１０５でＹＥＳと判定された場合、電池残量がさらに低下してシステムダウンが起こることを回避するため、制御回路１５１Ａは、副針２４によりレベル「０」に対応したＬマークを指示し、秒針２１、分針２２および時針２３の運針を停止させることにより、消費電力を低減する（Ｓ１１４）。そして、制御回路１５１Ａは、Ｓ１１５で電池電圧の検出結果を記憶装置１５７に記憶させ、電池電圧検出処理を終了する。
【００７６】
このような電子時計１Ａによれば、図７に示すように、照度が３０００ルクス未満の場合、すなわち、記憶装置１５７内の照度検出結果フラグがオフの場合は、太陽電池１３１に照射される光の量が不足しており、充電に適した環境にないため、照度検出情報は表示せず、副針２４に電池残量を表示させる。
【００７７】
具体的には、電子時計１Ａは、記憶装置１５７に記憶された照度検出結果フラグと電池電圧の検出結果との情報に基づいて、照度検出指標２０３やインジケーター７１における電池残量に応じた位置を指示させる。例えば、照度検出結果フラグがオフであり、且つ、電池電圧検出回路１５５が検出した電圧が、１．２０Ｖ未満であることが記憶されている場合、電池残量が少量である（充電が必要である）ため、副針２４にインジケーター７１のマークＬの位置を指示させる。また、検出した電圧が、１．２０Ｖ以上１．４０Ｖ未満であることが記憶されている場合、電池残量が中量であるため、副針２４にインジケーター７１のマークＭの位置を指示させる。また、検出した電圧が、１．４０Ｖ以上であることが記憶されている場合、電池残量が多量であるため、副針２４にインジケーターのマークＨの位置を指示させる。
【００７８】
また、電子時計１Ａは、照度が３０００ルクス以上の場合、すなわち、記憶装置１５７内の照度検出結果フラグがオンの場合は、電池電圧検出回路１５５が検出した電圧がいずれの値であっても、太陽電池１３１に照射される光の量が適度で充電に適した環境にあるため、副針２４に照度検出指標２０３を指示させ、照度検出情報を表示させる。
【００７９】
次に、リューズ操作に応じて制御回路１５１Ａが実行する照度検出処理について、図８のフローチャートに基づき説明する。制御回路１５１Ａは、リューズ４３が１段引きされた状態か否かを判定する（Ｓ１２１）。この判定結果がＮＯである場合、制御回路１５１Ａは、Ｓ１２１の判定を繰り返す。
【００８０】
Ｓ１２１の判定結果がＹＥＳになると、制御回路１５１Ａは、秒針である指針２１を３秒の位置とし、指針２１により照度検出指標２０３を指示する（Ｓ１２２）。次に制御回路１５１Ａは、照度検出レベルを「４」に設定する（Ｓ１２３）。次に制御回路１５１Ａは、太陽電池１３１に照射される光の照度が、照度検出レベル（この場合は「４」）以上であるか否かを判定する（Ｓ１２４）。Ｓ１２４の判定結果がＮＯである場合、制御回路１５１Ａは、インジケーター７１においてレベル「０」に対応したマークＬの位置を副針２４により指示する（Ｓ１２９）。
【００８１】
次に制御回路１５１Ａは、リューズ４３が１段引きされた状態か否かを判定する（Ｓ１３０）。この判定結果がＹＥＳである場合、制御回路１５１Ａの処理はＳ１２３に戻る。
【００８２】
太陽電池１３１に照射される光の照度が、照度検出レベル以上であり、Ｓ１２４の判定結果がＹＥＳとなる場合、制御回路１５１Ａは、照度検出レベルを「７」に設定する（Ｓ１２５）。
【００８３】
次に制御回路１５１Ａは、太陽電池１３１に照射される光の照度が、照度検出レベル（この場合は「７」）以上であるか否かを判定する（Ｓ１２６）。
【００８４】
このＳ１２６の判定結果がＮＯである場合、すなわち、太陽電池１３１に照射される光の照度が照度検出レベル「４」以上であり、かつ、照度検出レベル「７」未満である場合、制御回路１５１Ａは、インジケーター７１においてレベル「１」に対応したマークＭの位置を副針２４により指示する（Ｓ１２７）。そして、制御回路１５１Ａの処理はＳ１３０へ進む。
【００８５】
一方、Ｓ１２６の判定結果がＹＥＳである場合、すなわち、太陽電池１３１に照射される光の照度が照度検出レベル「７」以上である場合、制御回路１５１Ａは、インジケーター７１においてレベル「２」に対応したマークＨの位置を副針２４により指示する（Ｓ１２８）。そして、制御回路１５１Ａの処理はＳ１３０へ進む。
【００８６】
このように制御回路１５１Ａは、リューズ４３が１段引きされた状態である間、太陽電池１３１に照射される光の照度が照度検出レベル「４」未満であれば副針２４によりレベル「０」を指示し、照度検出レベル「４」以上であり、かつ、照度検出レベル「７」未満であれば副針２４によりレベル「１」を指示し、照度検出レベル「７」以上であれば副針２４によりレベル「２」を指示する。
【００８７】
そして、リューズ４３が１段引きされた状態でなくなると、Ｓ１３０の判定結果がＮＯとなり、制御回路１５１Ａは、秒針２１を秒表示に戻す（Ｓ１３１）。次に制御回路１５１Ａは、副針２４によるインジケーター表示を行う（Ｓ１３２）。すなわち、リューズ４３の状態に応じた種類の情報を副針２４に表示させる。そして、制御回路１５１Ａは、照度検出処理を終了する。
【００８８】
［第１実施形態の作用効果］
第１実施形態によれば、副針表示領域２４０Ａを面積が少なくて済む扇形の領域とすることで、一部のインデックスをなくすこと、あるいは他より短くすることなく副針表示領域２４０Ａを文字板１１に設けることができ、電子時計１Ａの装飾性を高めることができる。また、第１実施形態によれば、副針２４を兼用して、電池残量と照度を表示するので、少ない面積の副針表示領域２４０Ａでも複数の種類の情報を表示することができる。また、第１実施形態によれば、現在、副針２４が表示している情報の種類、具体的には副針２４が照度を表示しているか否かを秒針２１が指示し、ユーザーに知らせることができる。
【００８９】
［第１実施形態の変形例］
上記第１実施形態では、文字板１１にカレンダー小窓１５を設けてカレンダー表示を行ったが、図９に示す電子時計１Ａ’のようにカレンダー小窓１５を設けない構成としてもよい。この場合、カレンダー小窓がないので、１２本の全てのインデックス２０２を均等な長さにすることができ、装飾性を高めることができる。
【００９０】
＜第２実施形態＞
［電子時計の概略構成］
図１０はこの発明の第２実施形態である電子時計１Ｂの構成を示す平面図である。図１０は同電子時計１Ｂの副針表示領域２４０Ｂの詳細を示す平面図である。図１１は同電子時計１Ｂの断面図である。図１２は同電子時計１Ｂの電気回路の構成を示すブロック図である。
【００９１】
本実施形態による電子時計１Ｂは電波時計であり、第１実施形態の電子時計１Ａに対して、標準電波を受信する電波受信部５９Ｂを追加したものである。なお、以降の説明では、第１実施形態の電子時計１Ａと同じ構成については同じ符号を付与し、説明を省略する。
【００９２】
電子時計１Ｂには、標準電波を受信するためのアンテナ１０５が設けられている。図１０に示すように、アンテナ１０５は、その長手方向が文字板１１の９時位置から１１時位置に沿うように地板１２５内に配置されている。そして、アンテナ１０５は、文字板１１の法線方向に沿った平面視において、副針表示領域２４０Ｂと重ならない。従って、本実施形態によれば、アンテナ１０５を含むムーブメントの薄型化を実現することができる。
【００９３】
副針表示領域２４０Ｂは、上記第１実施形態の副針表示領域２４０Ａと同様、中心角が９０°の扇形である。この扇形を採用することにより、一部のインデックス２０２をなくし、あるいは他より短くすることなく、副針表示領域２４０Ｂを文字板１１上に設けている。図１１に示すように、副針表示領域２４０Ｂでは、基端７１１から先端７１２に掛けて細くなる円弧状のインジケーター７１の内側にマークＤＳＴおよびＯＦＦが表記された内目盛が設けられ、さらに同インジケーター７１の外側にマークＨ、ＭおよびＬが表記された外目盛が設けられている。ここで、内目盛のマークＤＳＴおよびＯＦＦは、夏時間表示のモード設定を表す。また、外目盛のマークＨ、ＭおよびＬは、電池残量、照度または受信レベルを表す。本実施形態において、電子時計１Ｂは、内目盛と外目盛を切り換えて、副針２４により、夏時間表示のモード設定または電池残量を表示する。
【００９４】
また、電子時計１Ｂでは、図１０に示すように、文字板１１の周囲における５７秒の位置に、Ｒマーク２０５が表記されている。秒針２１は、このＲマーク２０５を指示することで、標準電波の受信中であることを表示する。また、上記第１実施形態と同様、文字板１１の周囲における３秒の位置に、照度検出指標２０３が表記されている。秒針２１は、この照度検出指標２０３を指示することで、副針２４により照度を表示中であることを表示する。
【００９５】
また、電子時計１Ｂでは、外装ケース３０は、金属製の円環状のケース胴３１と、その上に載せられた円環状のガラス縁３２により構成されている。この外装ケース３０の内側に非導電性部材である合成樹脂（例えばＡＢＳ樹脂）にて形成されたダイヤルリング３８が設けられる。ダイヤルリング３８の表面領域には、図１０に示すように、協定世界時（ＵＴＣ）との時差を表す時差情報が数字で表記されている。また、電子時計１Ｂの外装ケース３０の側面には、リューズ４３に加えて、ボタン４２が設けられている。
【００９６】
［電子時計の操作方法］
電子時計１Ｂは、リューズ４３が０段の位置にある場合は、通常表示を行う。すなわち、電子時計１Ｂは、秒針２１、分針２２および時針２３により現時刻表示を行い、副針２４により電池残量を表示する。また、リューズ４３が０段の位置にある場合は、リューズ４３が回転しても電子時計１Ｂは通常表示を維持する。
【００９７】
また、リューズ４３が０段の位置にある状態において、ボタン４２の２秒長押しが行われると、電子時計１Ｂは、秒針２１を３秒の位置として、照度検出指標２０３を指示する。そして、電子時計１Ｂは、インジケーター７１の外目盛を使用し、副針２４により照度を表示する。
【００９８】
また、リューズ４３が０段の位置にある状態において、ボタン４２の４秒長押しが行われると、電子時計１Ｂは、秒針２１を５７秒の位置として、Ｒマーク２０５を指示し、標準電波の強制受信を開始する。そして、電子時計１Ｂは、インジケーター７１の外目盛を使用し、副針２４により標準電波の受信レベルを表示する。
【００９９】
リューズ４３が１段引きされると、電子時計１Ｂは、分針２２および時針２３による現時刻表示を行い、秒針２１とダイヤルリング３８により、タイムゾーンを表示する。そして、電子時計１Ｂは、インジケーター７１の内目盛を使用し、副針２４により夏時間表示のモード設定を表示する。
【０１００】
また、リューズ４３が１段引きされた状態で回転されると、電子時計１Ｂはタイムゾーンの選択を行う。また、リューズ４３が１段引きされた状態で、ボタン４２が押されると、電子時計１Ｂは、夏時間表示のモード設定を切り換える。
【０１０１】
リューズ４３が２段引きされると、電子時計１Ｂは、分針２２、時針２３による現時刻表示を行い、秒針２１を０秒位置に止める。そして、電子時計１Ｂは、インジケーター７１の外目盛を使用し、副針２４により電池残量表示を行う。
【０１０２】
また、リューズ４３が２段引きされた状態で回転されると、電子時計１Ｂは現在時刻の時分の変更を行う。具体的には、リューズ４３が上回転すると、電子時計１Ｂは現在時刻を１分進め、下回転すると、１分遅らせる。
【０１０３】
［電子時計の回路構成］
図１３に示すように、電子時計１Ｂは、制御装置１５０Ｂに接続された二次電池１３２、太陽電池１３１および電波受信装置５９Ｂを備えている。また、制御装置１５０Ｂは、ダイオード１５２、充電制御用スイッチ７２、電圧検出回路１５５および駆動回路１５６を備えている。
【０１０４】
電波受信部としての電波受信装置５９Ｂは、図示を略すが、同調回路、増幅回路、バンドパスフィルター、包絡線検波回路、ＡＧＣ（Auto Gain Control）回路、二値化回路等を備える一般的な受信装置である。
【０１０５】
電波受信装置５９Ｂは、複数の標準電波を受信可能に構成されている。本実施形態では、日本の標準電波「ＪＪＹ」、アメリカ合衆国の標準電波「ＷＷＶＢ」、ドイツの標準電波「ＤＣＦ７７」、イギリスの標準電波「ＭＳＦ」を受信可能に構成されている。
【０１０６】
ここで、各標準電波には、時刻情報に加えて、夏時間の実施中か否かを示す実施状態情報が含まれている。電波受信装置５９Ｂは、標準電波を受信して、時刻情報および実施状態情報を取得し、制御回路１５１Ｂに出力する。
【０１０７】
本実施形態では、制御回路１５１Ｂは、標準電波を受信することで取得された時刻情報で内部時刻データを更新して内部時刻を修正する。また、制御回路１５１Ｂは、取得された実施状態情報に基づいて、夏時間を実施中か否かを判定する。
【０１０８】
［標準電波受信処理］
図１４は、制御回路１５１Ｂが実行する標準電波受信処理を示すフローチャートである。制御回路１５１Ｂは、ボタン４２が４秒間押されたか否かを判定する（Ｓ２０１）。Ｓ２０１でＮＯと判定された場合、制御回路１５１Ｂは、Ｓ２０１の処理を繰り返し実行する。
【０１０９】
Ｓ２０１でＹＥＳと判定された場合、制御回路１５１Ｂは、駆動回路１５６により駆動機構１４０を駆動し、秒針２１を５７秒の位置とし、秒針２１によりＲマーク２０５を指示する（Ｓ２０２）。次に制御回路１５１Ｂは電波受信装置５９Ｂを起動して受信処理を開始させる（Ｓ２０３）。次に制御回路１５１Ｂは、駆動回路１５６により駆動機構１４０を駆動し、副針２４にＬマークの表記された「０」レベル位置を指示させる（Ｓ２０４）。
【０１１０】
次に制御回路１５１Ｂは、電波受信装置５９Ｂが受信した信号の強度に基づく値である受信レベルに応じて、副針２４に「０」レベル位置、「１」レベル位置または「２」レベル位置を指示させる（Ｓ２０５）。「０」レベル位置、「１」レベル位置、「２」レベル位置は、各々、マークＬの位置、マークＭの位置、マークＨの位置に対応する。次に制御回路１５１Ｂは、電波受信装置５９Ｂが標準電波の受信に成功したか否か、すなわち、時刻情報および実施状態情報を取得できたか否かを判定する（Ｓ２０６）。Ｓ２０６でＮＯと判定された場合、制御回路１５１Ｂは、Ｓ２０５およびＳ２０６の処理を繰り返す。
【０１１１】
一方、Ｓ２０６でＹＥＳと判定された場合、制御回路１５１Ｂは、取得された時刻情報を基に内部時刻データを更新して内部時刻を修正する。具体的には、取得された時刻情報が示す時刻から、設定されている時差を引いてＵＴＣを算出し、算出したＵＴＣで内部時刻データを更新する。そして、更新後の内部時刻データに基づいて、秒針２１、分針２２および時針２３による時刻表示を修正する（Ｓ２０７）。
【０１１２】
その後、制御回路１５１Ｂは、リューズ４３の状態により定まる種類の情報を副針２４に表示させ（Ｓ２０８）、標準電波受信処理を終了する。標準電波受信処理では、電波受信の開始（Ｓ２０３）の後、Ｓ２０５において副針２４を駆動するためにモーターを駆動する。このモーターの駆動は、長波である標準電波の受信にとってノイズとなる。そこで、Ｓ２０５では、標準電波の受信が途切れている期間を利用してモーターの駆動を行うことが好ましい。
【０１１３】
[夏時間表示制御処理]
電子時計１Ｂは、ボタン４２の操作に応じて、夏時間表示のモード設定の切り換えを行う機能を有している。図１５はこのモード設定の切り換えを行うために制御回路１５１Ｂが実行する夏時間表示制御処理を示すフローチャートである。
【０１１４】
制御回路１５１Ｂは、ボタン４２が押されたか否かを判定する（Ｓ２２１）。Ｓ２２１でＮＯと判定された場合、制御回路１５１ＢはＳ２２１の判定を繰り返す。
【０１１５】
Ｓ２２１でＹＥＳと判定されると、制御回路１５１Ｂは、副針２４がインジケーター７１におけるＯＦＦマークの位置を指示しているか否かを判定する（Ｓ２２２）。
【０１１６】
Ｓ２２２でＮＯと判定されると、制御回路１５１Ｂは、駆動回路１５６により駆動機構１４０を駆動し、副針２４によりインジケーター７１におけるＯＦＦマークを指示する（Ｓ２２５）。次いで制御回路１５１Ｂは、内部時刻データを１時間戻し、秒針２１、分針２２および時針２３による時刻表示を変更後の内部時刻データに合わせる（Ｓ２２６）。すなわち、夏時間の表示を行うモードから夏時間の表示を行わないモードに切り換える。そして、制御回路１５１Ｂは、夏時間表示制御処理を終了する。
【０１１７】
一方、Ｓ２２２でＹＥＳと判定されると、制御回路１５１Ｂは、駆動回路１５６により駆動機構１４０を駆動し、副針２４によりインジケーター７１におけるＤＳＴマークを指示する（Ｓ２２３）。次いで制御回路１５１Ｂは、内部時刻データを１時間進め、秒針２１、分針２２および時針２３による時刻表示を変更後の内部時刻データに合わせる（Ｓ２２４）。すなわち、夏時間の表示を行わないモードから夏時間の表示を行うモードに切り換える。そして、制御回路１５１Ｂは、夏時間表示制御処理を終了する。
【０１１８】
［第２実施形態の作用効果］
本実施形態においても、上記第１実施形態と同様な効果が得られる。また、本実施形態では、インジケーター７１に内目盛と外目盛を設け、内目盛を使用して夏時間表示のモード設定を表示し、または外目盛を使用して電池残量、照度もしくは受信レベルを表示するようにした。従って、少ない面積の副針表示領域２４０Ｂでも複数の種類の情報を表示することができる。また、本実施形態によれば、文字板１１の法線方向に沿った平面視において、副針表示領域２４０Ｂと重ならない領域にアンテナ１０５を配置した。このため、アンテナ１０５を含むムーブメントを薄型化し、電子時計１Ｂの装飾性を高めることができる。
【０１１９】
＜第３実施形態＞
［電子時計の概略構成］
図１６はこの発明の第３実施形態である電子時計１Ｃの構成を示す平面図である。図１７は同電子時計１Ｃの副針表示領域２４０Ｃの詳細を示す平面図である。図１８は同電子時計１Ｃの断面図である。図１９は同電子時計１Ｃの電気回路の構成を示すブロック図である。
【０１２０】
本実施形態による電子時計１ＣはＧＰＳ時計であり、図１９に示すように、第１実施形態の電子時計１Ａに対して、ＧＰＳ衛星信号を受信するＧＰＳ受信部５９Ｃを追加したものである。また、本実施形態による電子時計１Ｃは、上記第２実施形態と同様なダイヤルリング３８を有する。また、電子時計１Ｃの外装ケース３０の側面には、リューズ４３に加えて、ボタン４２が設けられている。なお、以降の説明では、第１実施形態の電子時計１Ａと同じ構成については同じ符号を付与し、説明を省略する。
【０１２１】
電子時計１Ｃには、ＧＰＳ衛星信号を受信するためのアンテナ１１０が設けられている。図１６に示すように、アンテナ１１０は、文字板１１の法線方向に沿った平面視において、指針軸２９と文字板１１の１２時位置との間の領域に配置されている。そして、アンテナ１１０は、文字板１１の法線方向に沿った平面視において、副針表示領域２４０Ｃと重ならない。従って、本実施形態によれば、アンテナ１１０を含むムーブメントの薄型化を実現することができる。
【０１２２】
副針表示領域２４０Ｃは、上記第１実施形態の副針表示領域２４０Ａと同様、中心角が９０°の扇形である。この扇形を採用することにより、一部のインデックス２０２をなくし、あるいは他より短くすることなく、副針表示領域２４０Ｃを文字板１１上に設けている。図１７に示すように、副針表示領域２４０Ｃでは、基端７１１から先端７１２に掛けて細くなる円弧状のインジケーター７１の内側にマークＡＵＴＯ、ＳＴおよびＤＳＴが表記された内目盛が設けられ、さらに同インジケーター７１の外側にマークＧ、Ｈ、ＭおよびＬが表記された外目盛が設けられている。ここで、内目盛のマークは、夏時間表示のモード設定を表すものであり、ＡＵＴＯが夏時間自動表示モード、ＳＴが夏時間非表示モード、ＤＳＴが夏時間表示モードを示している。また、外目盛のマークは、電池残量、照度または受信レベルを表すものであり、Ｇがレベル「３」のＧｏｏｄ、Ｈがレベル「２」のＨｉｇｈ、Ｍがレベル「１」のＭｉｄｄｌｅ、Ｌがレベル「１」のＬｏｗを表している。本実施形態において、電子時計１Ｃは、内目盛と外目盛を切り換えて、副針２４により、各種の情報を表示する。
【０１２３】
また、電子時計１Ｃでは、図１６に示すように、文字板１１の周囲における５３秒の位置に、Ｒマーク２０５が表記されている。秒針２１は、このＲマーク２０５を指示することで、ＧＰＳ衛星信号の受信中であることを表示する。また、文字板１１の周囲における７秒の位置に、照度検出指標２０３が表記されている。秒針２１は、この照度検出指標２０３を指示することで、副針２４により照度を表示中であることを表示する。
【０１２４】
［電子時計の操作方法］
電子時計１Ｃは、リューズ４３が０段の位置にある場合は、通常表示を行う。すなわち、電子時計１Ｃは、秒針２１、分針２２および時針２３により現時刻表示を行い、副針２４により電池残量を表示する。本実施形態において、電子時計１Ｃは、電池残量がレベル「０」〜「３」の４段階のいずれに該当するかを判定し、該当する段階を副針２４により支持する。また、リューズ４３が０段の位置にある場合は、リューズ４３が回転しても電子時計１Ｃは通常表示を維持する。
【０１２５】
また、リューズ４３が０段の位置にある状態において、ボタン４２の２秒長押しが行われると、電子時計１Ｃは、秒針２１を７秒の位置として、照度検出指標２０３を指示する。そして、電子時計１Ｃは、インジケーター７１の外目盛を使用し、副針２４により照度を表示する。この場合、電子時計１Ｃは、照度がレベル「０」〜「３」の４段階のいずれに該当するかを判定し、該当する段階を副針２４により指示する。
【０１２６】
また、リューズ４３が０段の位置にある状態において、ボタン４２の４秒長押しが行われると、電子時計１Ｃは、秒針２１を５３秒の位置として、Ｒマーク２０５を指示し、ＧＰＳ衛星信号の受信を開始する。そして、電子時計１Ｃは、インジケーター７１の外目盛を使用し、副針２４によりＧＰＳ衛星信号の受信レベルを表示する。この場合も、電子時計１Ｃは、受信レベルがレベル「０」〜「３」の４段階のいずれに該当するかを判定し、該当する段階を副針２４により指示する。
【０１２７】
リューズ４３が１段引きされると、電子時計１Ｃは、分針２２および時針２３による現時刻表示を行い、秒針２１とダイヤルリング３８により、タイムゾーンを表示する。そして、電子時計１Ｃは、インジケーター７１の内目盛を使用し、副針２４により夏時間表示のモード設定を表示する。
【０１２８】
また、リューズ４３が１段引きされた状態で回転されると、電子時計１Ｃはタイムゾーンの選択を行う。また、リューズ４３が１段引きされた状態で、ボタン４２が押されると、電子時計１Ｃは、夏時間表示のモード設定を切り換える。
【０１２９】
リューズ４３が２段引きされると、電子時計１Ｃは、分針２２および時針２３による現時刻表示を行い、秒針２１を０秒位置に止める。そして、電子時計１Ｃは、インジケーター７１の外目盛を使用し、副針２４により電池残量表示を行う。
【０１３０】
また、リューズ４３が２段引きされた状態で回転されると、電子時計１Ｃは現在時刻の時分の変更を行う。具体的には、リューズ４３が上回転すると、電子時計１Ｃは現在時刻を１分進め、下回転すると、１分遅らせる。
【０１３１】
また、リューズ４３が２段引きされた状態で、ボタン４２が押されると、電子時計１Ｃはカレンダーの変更を行う。具体的には、ボタン４２が押されると、電子時計１Ｃはカレンダーを１日進める。
【０１３２】
［表示モード切替処理］
電子時計１Ｃは、ボタン４２の操作に応じて、夏時間の表示を行う夏時間自動表示モードＡＵＴＯと、夏時間の表示を行わないモードの切り換えを行う機能を有している。図２０は、本実施形態の電子時計１Ｃの制御回路１５１Ｃが実行する表示モード切替処理を示すフローチャートである。
【０１３３】
表示モード切替処理が実行されると、制御回路１５１Ｃは、ボタン４２が押されたか否かを判定する（Ｓ３０１）。Ｓ３０１でＮＯと判定された場合、制御回路１５１Ｃは、Ｓ３０１の判定を繰り返す。
【０１３４】
Ｓ３０１でＹＥＳと判定された場合、制御回路１５１Ｃは、副針２４がインジケーター７１上のＡＵＴＯマークを指示しているか否か、すなわち、現在のモードが夏時間自動表示モードであるか否かを判定する（Ｓ３０２）。
【０１３５】
Ｓ３０２でＹＥＳと判定された場合、制御回路１５１Ｃは、副針２４によりインジケーター７１上のＳＴマークを指示し、表示モードを夏時間非表示モードとする（Ｓ３０５）。
【０１３６】
次に制御回路１５１Ｃは、現在の表示モードでのローカルタイムを算出し、内部時刻データを更新するとともに、内部時刻データに合わせて秒針２１、分針２２および時針２３による時刻表示を行い（Ｓ３０８）、表示モード切替処理を終了する。
【０１３７】
一方、Ｓ３０２でＮＯと判定された場合、制御回路１５１Ｃは、副針２４がインジケーター７１上のＳＴマークを指示しているか否か、すなわち、現在のモードが夏時間非表示モードであるか否かを判定する（Ｓ３０３）。
【０１３８】
Ｓ３０３でＹＥＳと判定された場合、副針２４によりインジケーター７１上のＤＳＴマークを指示し、表示モードを夏時間表示モードとする（Ｓ３０６）。
【０１３９】
次に制御回路１５１Ｃは、現在の表示モードでのローカルタイムを算出し、内部時刻データを更新するとともに、内部時刻データに合わせて秒針２１、分針２２および時針２３による時刻表示を行い（Ｓ３０８）、表示モード切替処理を終了する。
【０１４０】
Ｓ３０３でＮＯと判定された場合、制御回路１５１Ｃは、現在位置が夏時間実施地域か否かを判定する（Ｓ３０４）。Ｓ３０４でＮＯと判定された場合、制御回路１５１Ｃは、副針２４によりインジケーター７１上のＳＴマークを指示して、表示モードを夏時間非表示モードとし（Ｓ３０５）、夏時間非表示モードでのローカルタイムの算出および時分秒の表示を行い（Ｓ３０８）、表示モード切替処理を終了する。
【０１４１】
一方、Ｓ３０４でＹＥＳと判定された場合、制御回路１５１Ｃは、副針２４によりインジケーター７１上のＡＵＴＯマークを指示して、表示モードを夏時間自動表示モードとし（Ｓ３０７）、夏時間自動表示モードでのローカルタイムの算出および時分秒の表示を行い（Ｓ３０８）、表示モード切替処理を終了する。
【０１４２】
［第３実施形態の作用効果］
本実施形態においても、上記第２実施形態と同様、インジケーター７１に内目盛と外目盛を設け、両者を使い分けて、副針２４による情報の表示を行うようにしたので、少ない面積の副針表示領域２４０Ｃでも複数の種類の情報を表示することができる。また、本実施形態によれば、文字板１１の法線方向に沿った平面視において、副針表示領域２４０Ｂと重ならない領域にアンテナ１１０を配置したので、アンテナ１１０を含むムーブメントを薄型化し、電子時計１Ｃの装飾性を高めることができる。
【０１４３】
＜第４実施形態＞
［電子時計の概略構成］
図２１はこの発明の第４実施形態である電子時計１Ｄの構成を示す平面図である。図２２は同電子時計１Ｄの副針表示領域２４０Ｄの詳細を示す平面図である。
上記第３実施形態と同様、本実施形態による電子時計１ＤはＧＰＳ時計である。また、本実施形態による電子時計１Ｄは、上記第２実施形態と同様なダイヤルリング３８を有する。なお、以降の説明では、第３実施形態の電子時計１Ｃと同じ構成については同じ符号を付与し、説明を省略する。
【０１４４】
図２２に示すように、副針表示領域２４０Ｄでは、円弧状のインジケーター７１の内側に並んだ７個の内目盛には、Ｓｕｎｄａｙを示すＳ、Ｍｏｎｄａｙを示すＭ、Ｔｕｅｓｄａｙを示すＴ、Ｗｅｄｎｅｓｄａｙを示すＷ、Ｔｈｕｒｓｄａｙを示すＴ、Ｆｒｉｄａｙを示すＦおよびＳａｔｕｒｄａｙを示すＳの各マークが表記されている。また、円弧状のインジケーター７１の外側に並んだ３個の外目盛には、２種類のマークが表記されている。内側のＡＵＴＯ、ＳＴおよびＤＳＴは、夏時間表示のモード設定に関するマークであり、各々、夏時間自動表示モード、夏時間非表示モードおよび夏時間表示モードを表す。また、外側のＨ、ＭおよびＬは、電池残量、照度、または受信レベルに関するものであり、Ｈがレベル「２」のＨｉｇｈ、Ｍがレベル「１」のＭｉｄｄｌｅ、Ｌがレベル「０」のＬｏｗを示す。本実施形態において、電子時計１Ｄは、内目盛と外目盛を切り換え、副針２４により、各種の情報を表示する。
【０１４５】
また、電子時計１Ｄでは、図２２に示すように、文字板１１の周囲における５３秒の位置にＲマーク２０５が表記され、７秒の位置に照度検出指標２０３が表記され、４８秒の位置に電池残量検出指標２０６が表記されている。秒針２１は、Ｒマーク２０５を指示することで、ＧＰＳ衛星信号の受信中であることを表示する。また、秒針２１は、照度検出指標２０３を指示することで、副針２４により照度を表示中であることを表示する。また、秒針２１は、電池残量検出指標２０６を指示することで、副針２４により電池残量を表示中であることを表示する。
【０１４６】
［電子時計の操作方法］
電子時計１Ｄは、リューズ４３が０段の位置にある場合は、通常表示を行う。すなわち、電子時計１Ｃは、秒針２１、分針２２および時針２３により現時刻表示を行う。また、電子時計１Ｄは、インジケーター７１の内目盛を使用し、副針２４により曜日を表示する。また、リューズ４３が０段の位置にある場合は、リューズ４３が回転しても電子時計１Ｄは通常表示を維持する。
【０１４７】
また、リューズ４３が０段の位置にある状態において、ボタン４２が２秒未満の時間だけ短く押されると、電子時計１Ｄは、秒針２１を４８秒の位置として、電池残量検出指標２０６を指示する。そして、電子時計１Ｄは、インジケーター７１の外目盛を使用し、副針２４により電池残量を表示する。この場合、電子時計１Ｄは、電池残量がレベル「０」〜「２」の３段階のいずれに該当するかを判定し、該当する段階を副針２４により指示する。
【０１４８】
また、リューズ４３が０段の位置にある状態において、ボタン４２が２秒長押しされると、電子時計１Ｄは、秒針２１を７秒の位置として、照度検出指標２０３を指示する。そして、電子時計１Ｄは、インジケーター７１の外目盛を使用し、副針２４により照度を表示する。この場合、電子時計１Ｄは、電池残量がレベル「０」〜「２」の３段階のいずれに該当するかを判定し、該当する段階を副針２４により指示する。
【０１４９】
また、リューズ４３が０段の位置にある状態において、ボタン４２の４秒長押しが行われると、電子時計１Ｄは、秒針２１を５３秒の位置として、Ｒマーク２０５を指示し、ＧＰＳ衛星信号の受信を開始する。そして、電子時計１Ｃは、インジケーター７１の外目盛を使用し、副針２４によりＧＰＳ衛星信号の受信レベルを表示する。この場合も、電子時計１Ｄは、受信レベルがレベル「０」〜「２」の３段階のいずれに該当するかを判定し、該当する段階を副針２４により支持する。
【０１５０】
リューズ４３が１段引きされると、電子時計１Ｄは、分針２２、時針２３による現時刻表示を行い、秒針２１とダイヤルリング３８により、タイムゾーンを表示する。そして、電子時計１Ｄは、副針２４により、インジケーター７１の３個の外目盛のうちＡＵＴＯ、ＳＴまたはＤＳＴのマークの表記されたいずれかの外目盛を指示し、夏時間表示のモード設定を表示する。
【０１５１】
リューズ４３が１段引きされた状態で回転されると、電子時計１Ｄは、タイムゾーンの選択を行う。また、リューズ４３が１段引きされた状態でボタン４２が押されると、電子時計１Ｄは、夏時間表示のモード設定を切り換える。
【０１５２】
リューズ４３が２段引きされると、電子時計１Ｄは、分針２２、時針２３による現時刻表示を行い、秒針２１を０秒位置に止める。そして、電子時計１Ｄは、インジケーター７１の内目盛を使用し、副針２４により曜日表示を行う。
【０１５３】
また、リューズ４３が２段引きされた状態で回転されると、電子時計１Ｄは現在時刻の時分の変更を行う。具体的には、リューズ４３が上回転すると、電子時計１Ｄは現在時刻を１分進め、下回転すると、１分遅らせる。また、リューズ４３が２段引きされた状態で、ボタン４２が押されると、電子時計１Ｄはカレンダーの変更を行う。具体的には、ボタン４２が押されると、電子時計１Ｄはカレンダーを１日進める。
【０１５４】
［第４実施形態の作用効果］
本実施形態においても、上記第２および第３実施形態と同様な効果が得られる。また、本実施形態では、インジケーター７１の外目盛にＡＵＴＯ、ＳＴおよびＤＳＴといった夏時間表示のモード設定を示すマークと、Ｈ、ＭおよびＬといった受信レベルや電池残量、照度のレベルを示すマークとを表記し、両者を使い分けるようにしたので、少ない面積の副針表示領域２４０Ｄでも複数の種類の情報を表示することができる。
【０１５５】
＜第５実施形態＞
［電子時計の概略構成］
図２３はこの発明の第５実施形態である電子時計１Ｅの構成を示す平面図である。図２４は同電子時計１Ｅの副針表示領域２４０Ｅの詳細を示す平面図である。上記第３実施形態と同様、本実施形態による電子時計１ＥはＧＰＳ時計である。また、本実施形態による電子時計１Ｅは、上記第２実施形態と同様なダイヤルリング３８を有する。なお、以降の説明では、第３実施形態の電子時計１Ｃと同じ構成については同じ符号を付与し、説明を省略する。
【０１５６】
図２４に示すように、副針表示領域２４０Ｅでは、副針として、長針２４ａと短針２４ｂが指針軸２６に取り付けられている。そして、インジケーター７１の内側の内目盛に表記されたマークと、インジケーター７１の外側の外目盛に表記されたマークは上記第４実施形態（図２２参照）と同様である。
【０１５７】
また、電子時計１Ｅでは、図２３に示すように、文字板１１に上記第４実施形態と同様なＲマーク２０５、照度検出指標２０３および電池残量検出指標２０６が表記されている。
【０１５８】
［電子時計の操作方法］
電子時計１Ｅは、リューズ４３が０段の位置にある場合は、通常表示を行う。すなわち、電子時計１Ｅは、秒針２１、分針２２および時針２３により現時刻表示を行う。また、電子時計１Ｅは、インジケーター７１の内目盛を使用し、長針２４ａにより電池残量を表示し、インジケーター７１の外目盛を使用し、短針２４ｂにより曜日を表示する。また、リューズ４３が０段の位置にある場合は、リューズ４３が回転しても電子時計１Ｅは通常表示を維持する。
【０１５９】
また、リューズ４３が０段の位置にある状態において、ボタン４２が２秒未満の時間だけ短く押されると、電子時計１Ｅは、秒針２１を４８秒の位置として、電池残量検出指標２０６を指示する。そして、電子時計１Ｅは、インジケーター７１の外目盛を使用し、長針２４ａにより電池残量を表示する。この場合、電子時計１Ｅは、電池残量がレベル「０」〜「２」の３段階のいずれに該当するかを判定し、該当する段階を副針２４により指示する。
【０１６０】
また、リューズ４３が０段の位置にある状態において、ボタン４２が２秒長押しされると、電子時計１Ｅは、秒針２１を７秒の位置として、照度検出指標２０３を指示する。そして、電子時計１Ｅは、インジケーター７１の外目盛を使用し、長針２４ａにより照度を表示する。この場合、電子時計１Ｅは、電池残量がレベル「０」〜「２」の３段階のいずれに該当するかを判定し、該当する段階を長針２４ａにより指示する。
【０１６１】
また、リューズ４３が０段の位置にある状態において、ボタン４２の４秒長押しが行われると、電子時計１Ｅは、秒針２１を５３秒の位置として、Ｒマーク２０５を指示し、ＧＰＳ衛星信号の受信を開始する。そして、電子時計１Ｅは、インジケーター７１の外目盛を使用し、長針２４ａによりＧＰＳ衛星信号の受信レベルを表示する。この場合も、電子時計１Ｅは、受信レベルがレベル「０」〜「２」の３段階のいずれに該当するかを判定し、該当する段階を長針２４ａにより支持する。
【０１６２】
リューズ４３が１段引きされると、電子時計１Ｅは、分針２２、時針２３による現時刻表示を行い、秒針２１とダイヤルリング３８により、タイムゾーンを表示する。そして、電子時計１Ｅは、長針２４ａにより、インジケーター７１の３個の外目盛のうちＡＵＴＯ、ＳＴまたはＤＳＴのマークの表記されたいずれかの外目盛を指示し、夏時間表示のモード設定を表示する。また、電子時計１Ｅは、短針２４ｂにより、インジケーター７１の内目盛において曜日を示すマークの表記されたいずれかの内目盛を指示し、曜日を表示する。
【０１６３】
リューズ４３が１段引きされた状態で回転されると、電子時計１Ｅは、タイムゾーンの選択を行う。また、リューズ４３が１段引きされた状態でボタン４２が押されると、電子時計１Ｅは、夏時間表示のモード設定を切り換える。
【０１６４】
リューズ４３が２段引きされると、電子時計１Ｅは、分針２２、時針２３による現時刻表示を行い、秒針２１を０秒位置に止める。そして、電子時計１Ｅは、インジケーター７１の外目盛を使用し、長針２４ａにより電池残量を表示する。また、電子時計１Ｅは、インジケーター７１の内目盛を使用し、短針２４ｂにより曜日を表示する。
【０１６５】
また、リューズ４３が２段引きされた状態で回転されると、電子時計１Ｅは現在時刻の時分の変更を行う。具体的には、リューズ４３が上回転すると、電子時計１Ｅは現在時刻を１分進め、下回転すると、１分遅らせる。また、リューズ４３が２段引きされた状態で、ボタン４２が押されると、電子時計１Ｅはカレンダーの変更を行う。具体的には、ボタン４２が押されると、電子時計１Ｅはカレンダーを１日進める。
【０１６６】
［第５実施形態の作用効果］
本実施形態においても上記第２および第３実施形態と同様な効果が得られる。また、本実施形態では、副針として長針２４ａおよび短針２４ｂを使用し、長針２４ａおよび短針２４ｂに別個の情報を表示させるようにしたので、複数種類の情報をユーザーに効率的に知らせることができる。
【０１６７】
＜他の実施形態＞
以上、この発明の第１〜第５実施形態について説明したが、この発明には他の実施形態が考えられる。例えば次の通りである。
【０１６８】
（１）年、月、日、閏年、温度、湿度、方位、高度、水深、脈拍数、活動量、紫外線量、標準電波などの受信局、時差、機能（モード）、メール着信等、上記各実施形態に示された情報以外の各種の情報を副針２４に表示させてもよい。
（２）インデックスやインジケーターを、文字板に表記する方法としては、文字板に印刷する方法でも良いし、文字板と別体で形成し、文字板に貼り付けたり、嵌め込んだりする方法を用いてもよい。また、文字板を立体形成する方法を用いてもよい。文字板と別体で形成する場合、インデックスやインジケーターを金属部材で形成すると、高級感をさらに高めることができる。
【０１６９】
（３）上記各実施形態では、電子時計に標準電波の受信またはＧＰＳ衛星信号の受信を行わせたが、これら以外の通信、例えばＢＬＥ（Bluetooth Low Energy）やＬＰＷＡ（Low Power, Wide
Area）等の無線通信を電子時計に行わせてもよい。
【符号の説明】
【０１７０】
２１…秒針、２２…分針、２３…時針、２４…副針、２６，２９…指針軸、２４０Ａ，２４０Ｂ，２４０Ｃ，２４０Ｄ，２４０Ｅ…副針表示領域、１Ａ，１Ｂ，１Ｃ，１Ｄ，１Ｅ…電子時計、３０…外装ケース、３３…カバーガラス、３４…裏蓋、１３１…太陽電池、１３２…２次電池、１２５…地板、１２０…回路基板、１５０Ａ，１５０Ｂ，１５０Ｃ…制御装置、１２２…回路押さえ、１４０…駆動機構、１０５，１１０…アンテナ、３８…ダイヤルリング、３１…ケース胴、３２…ガラス縁、１５１Ａ，１５１Ｂ，１５１Ｃ…制御回路、１５５…電池電圧検出回路、１５７…記憶回路、１５３…充電制御スイッチ、１５２…ダイオード、１５４…照度検出回路、１５６…駆動回路、７１…インジケーター、２４ａ…長針、２４ｂ…短針。
【図１】
2019158343.tif 000003
【図２】
2019158343.tif 000004
【図３】
2019158343.tif 000005
【図４】
2019158343.tif 000006
【図５】
2019158343.tif 000007
【図６】
2019158343.tif 000008
【図７】
2019158343.tif 000009
【図８】
2019158343.tif 000010
【図９】
2019158343.tif 000011
【図１０】
2019158343.tif 000012
【図１１】
2019158343.tif 000013
【図１２】
2019158343.tif 000014
【図１３】
2019158343.tif 000015
【図１４】
2019158343.tif 000016
【図１５】
2019158343.tif 000017
【図１６】
2019158343.tif 000018
【図１７】
2019158343.tif 000019
【図１８】
2019158343.tif 000020
【図１９】
2019158343.tif 000021
【図２０】
2019158343.tif 000022
【図２１】
2019158343.tif 000023
【図２２】
2019158343.tif 000024
【図２３】
2019158343.tif 000025
【図２４】
2019158343.tif 000026